【手続補正書】
【提出日】令和2年5月15日(2020.5.15)
【手続補正１】
【補正対象書類名】特許請求の範囲
【補正対象項目名】全文
【補正方法】変更
【補正の内容】
【特許請求の範囲】
【請求項１】
エネルギーシステム装置であって、
前記エネルギーシステムの第１の不可欠なコンポーネントと、
前記エネルギーシステムの第２の不可欠なコンポーネントと、
前記エネルギーシステムの前記第１の不可欠なコンポーネントまたは前記エネルギーシステムの前記第２の不可欠なコンポーネントを製造するための積層造形システムと、
を含む、エネルギーシステム装置。
【請求項２】
前記積層造形システムは、前記エネルギーシステムの前記第１の不可欠なコンポーネントを製造する、請求項１に記載のエネルギーシステム装置。
【請求項３】
前記積層造形システムは、前記エネルギーシステムの前記第２の不可欠なコンポーネントを製造する、請求項１に記載のエネルギーシステム装置。
【請求項４】
前記積層造形システムは、前記エネルギーシステムの前記第１の不可欠なコンポーネントと前記エネルギーシステムの前記第２の不可欠なコンポーネントの両方を製造する、請求項１に記載のエネルギーシステム装置。
【請求項５】
前記積層造形システムは、可動式印刷ヘッド積層造形システムである、請求項１に記載のエネルギーシステム装置。
【請求項６】
前記積層造形システムが粉末ベッド積層造形システムである、請求項１に記載のエネルギーシステム装置。
【請求項７】
前記エネルギーシステムの多孔質枠組みをさらに含む、請求項１に記載のエネルギーシステム装置。
【請求項８】
前記多孔質枠組みに充填される前記エネルギーシステムの前記第１の不可欠なコンポーネントを有する前記多孔質枠組みを備えた前記エネルギーシステムの多孔質枠組みをさらに含む、請求項１に記載のエネルギーシステム装置。
【請求項９】
前記多孔質枠組みに充填される前記エネルギーシステムの前記第２の不可欠なコンポーネントを有する前記多孔質枠組みを備えた前記エネルギーシステムの多孔質枠組みをさらに含む、請求項１に記載のエネルギーシステム装置。
【請求項１０】
エネルギーシステムの製造方法であって、
少なくとも１つの積層造形工程を用いる工程と、
前記少なくとも１つの積層造形工程において少なくとも２つの材料を使用して前記エネルギーシステムを製造する工程とを含む、方法。
【請求項１１】
前記少なくとも１つの積層造形工程において少なくとも２つの材料を使用する前記工程は、前記少なくとも１つの積層造形工程において空気を使用することを含む、請求項１０に記載のエネルギーシステムの製造方法。
【請求項１２】
前記エネルギーシステムを製造するための積層造形工程ではない追加の処理工程をさらに含む、請求項１０に記載のエネルギーシステムの製造方法。
【請求項１３】
エネルギーシステムの製造方法であって、
前記エネルギーシステムの第１の不可欠なコンポーネントを提供する工程と、
前記エネルギーシステムの支持構造を提供する工程と、
前記エネルギーシステムの第２の不可欠なコンポーネントを提供する工程と、
前記エネルギーシステムの前記第１の不可欠なコンポーネントと、前記エネルギーシステムの支持構造と、前記エネルギーシステムの前記第２の不可欠なコンポーネントとを組み合わせて前記エネルギーシステムを製造する工程であって、前記エネルギーシステムの前記第１の不可欠なコンポーネント、前記エネルギーシステムの前記支持構造、または前記エネルギーシステムの前記第２の不可欠なコンポーネントのうちの少なくとも１つは、積層造形を用いて製造される、工程と、
を含む、エネルギーシステムの製造方法。
【請求項１４】
前記エネルギーシステムの第１の不可欠なコンポーネントを製造する前記工程が、積層造形を用いて前記エネルギーシステムの第１の不可欠なコンポーネントを製造する工程を含む、請求項１３に記載のエネルギーシステムの製造方法。
【請求項１５】
前記エネルギーシステムの支持構造を提供する前記工程が、積層造形を用いて前記エネルギーシステムの支持構造を提供する工程を含む、請求項１３に記載のエネルギーシステムの製造方法。
【請求項１６】
前記エネルギーシステムの第２の不可欠なコンポーネントを製造する前記工程が、積層造形を用いて前記エネルギーシステムの第２の不可欠なコンポーネントを製造する工程を含む、請求項１３に記載のエネルギーシステムの製造方法。
【請求項１７】
前記エネルギーシステムの支持構造を提供する前記工程が、前記エネルギーシステムの多孔質支持構造を提供する工程を含み、
前記エネルギーシステムの前記第１の不可欠なコンポーネントと、前記エネルギーシステムの前記支持構造と、前記エネルギーシステムの前記第２の不可欠なコンポーネントとを組み合わせて前記エネルギーシステムを製造する工程が、前記多孔質支持構造を前記エネルギーシステムの前記第１の不可欠なコンポーネントで充填する工程を含む、請求項１３に記載のエネルギーシステムの製造方法。
【請求項１８】
前記エネルギーシステムの支持構造を提供する前記工程は、積層造形を用いて前記エネルギーシステムの多孔質枠組み支持構造を提供する工程を含み、
前記エネルギーシステムの前記第１の不可欠なコンポーネントと、前記エネルギーシステムの前記支持構造と、前記エネルギーシステムの前記第２の不可欠なコンポーネントとを組み合わせて前記エネルギーシステムを製造する工程が、前記多孔質枠組み支持構造を前記エネルギーシステムの前記第１の不可欠なコンポーネントで充填する工程を含む、請求項１３に記載のエネルギーシステムの製造方法。
【請求項１９】
前記エネルギーシステムの前記第１の不可欠なコンポーネント、前記エネルギーシステムの前記支持構造、および前記エネルギーシステムの前記第２の不可欠なコンポーネントを組み合わせて前記エネルギーシステムを製造する前記工程において、前記エネルギーシステムの前記第１の不可欠なコンポーネント、前記エネルギーシステムの前記支持構造、または前記エネルギーシステムの前記第２の不可欠なコンポーネントのうちの少なくとも１つが可動式印刷ヘッド積層造形システムを使用して製造される、請求項１３に記載のエネルギーシステムの製造方法。
【請求項２０】
前記エネルギーシステムの前記第１の不可欠なコンポーネント、前記エネルギーシステムの前記支持構造、および前記エネルギーシステムの前記第２の不可欠なコンポーネントを組み合わせて前記エネルギーシステムを製造する前記工程において、前記エネルギーシステムの前記第１の不可欠なコンポーネント、前記エネルギーシステムの前記支持構造、または前記エネルギーシステムの前記第２の不可欠なコンポーネントのうちの少なくとも１つが粉末ベッド積層造形システムを使用して製造される、請求項１３に記載のエネルギーシステムの製造方法。
【請求項２１】
エネルギーシステムの製造方法であって、
積層造形を用いて前記エネルギーシステムの多孔質支持構造を生成する工程と、
前記エネルギーシステムの第１の不可欠なコンポーネントで前記多孔質支持構造の第１の容積の開口領域を充填する工程と、
前記エネルギーシステムの第２の不可欠なコンポーネントで前記多孔質支持構造の第２の容積の開口領域を充填する工程と、
を備え、
前記エネルギーシステムの前記第１の不可欠なコンポーネントと前記第２の不可欠なコンポーネントは化学反応によって発熱反応し、
前記エネルギーシステムが、推進剤、火工品、爆発物および反応物の一つである、エネルギーシステムの製造方法。
【請求項２２】
エネルギーシステムの製造方法であって、
前記エネルギーシステムの前記第１の不可欠なコンポーネントを提供する工程と、
前記エネルギーシステムの支持構造を提供する工程と、
前記エネルギーシステムの前記第２の不可欠なコンポーネントを提供する工程と、
前記エネルギーシステムの前記第１の不可欠なコンポーネントと、前記エネルギーシステムの支持構造と、前記エネルギーシステムの前記第２の不可欠なコンポーネントとを組み合わせて前記エネルギーシステムを製造する工程と、をさらに備え、
前記エネルギーシステムの支持構造を提供する工程は、前記エネルギーシステムの多孔質支持構造を生成する工程を含み、
前記エネルギーシステムの前記第１の不可欠なコンポーネントと、前記エネルギーシステムの支持構造と、前記エネルギーシステムの前記第２の不可欠なコンポーネントとを組み合わせて前記エネルギーシステムを製造する工程は、
前記多孔質支持構造の第１の容積の開口領域を充填する工程と、
前記多孔質支持構造の第２の容積の開口領域を充填する工程と、
を含む、請求項２１に記載のエネルギーシステムの製造方法。
【請求項２３】
エネルギーシステム装置であって、
前記エネルギーシステムの第１の不可欠なコンポーネントと、
前記エネルギーシステムの第２の不可欠なコンポーネントと、
前記エネルギーシステムの多孔質枠組みであって、前記多孔質枠組みの第１の容積の第１の開口領域に充填される前記エネルギーシステムの第１の不可欠なコンポーネントと、前記多孔質枠組みの第２の容積の前記開口領域に充填される前記エネルギーシステムの第２の不可欠なコンポーネントとを有する多孔質枠組みと、を備え、
前記第１の不可欠なコンポーネントと前記第２の不可欠なコンポーネントは化学反応によって発熱反応することができ、
前記エネルギーシステムが、推進剤、火工品、爆発物および反応物の一つである、エネルギーシステム装置。
【請求項２４】
前記エネルギーシステムの前記多孔質枠組みは、前記エネルギーシステムの追加的に製造された多孔質枠組みである、請求項２３に記載のエネルギーシステム装置。
【請求項２５】
エネルギー装置の製造方法であって、
第１の成分を提供する工程と、
第２の成分を提供する工程と、
支持材料からなるマトリックスを提供する枠組みを製造するために、支持材料の印刷ストリームを押し出す印刷ヘッドを有する積層造形システムを用いる工程であって、前記マトリックスがマトリックス内に多数の開口領域を有し、前記支持材料が前記第１の成分を含み、前記第１の成分が酸化剤である、工程と、
前記多数の開口領域を充填材料で満たす工程であって、前記充填材料が前記第２の成分を含み、前記第２の成分が前記エネルギー装置を製造するための推進剤である、工程と、
を備える、エネルギー装置の製造方法。
【請求項２６】
エネルギーシステムの製造方法であって、
推進剤を含む第１の成分を提供する工程と、
酸化剤を含む第２の成分を提供する工程と、
積層造形システムを用いてエネルギーシステムの支持構造を提供する工程であって、前記積層造形システムが、前記第１の成分を含む支持材料の印刷ストリームを押し出す印刷ヘッドと、支持材料の印刷ストリームを押し出す前記印刷ヘッドを動かす動作コントローラとを有し、前記積層造形システムが、構築プラットフォームと、支持材料からなるマトリックスを製造するための構築プラットフォームを動かすためのステージ動作コントローラとを有し、前記マトリックスがマトリックス内に多数の第１の開口領域を有する、工程と、
前記多数の開口領域を充填材料で満たす工程であって、前記充填材料が前記第２の成分を含み、前記第２の成分が前記エネルギー装置を製造するための酸化剤を含む、工程と、
を備える、エネルギーシステムの製造方法。
【請求項２７】
エネルギー装置の製造方法であって、
支持材料からなるマトリックスを製造するための支持材料の印刷ストリームを押し出す印刷ヘッドを有する積層造形システムを用いる工程であって、前記マトリックスがマトリックス内に多数の第１の開口領域とマトリックス内に多数の第２の開口領域とを有する、工程と、
第１の充填材料で前記多数の第１の開口領域を充填する工程であって、前記第１の充填材料が酸化剤である、工程と、
第２の充填材料で前記多数の第２の開口領域を充填する工程であって、前記第２の充填材料が前記エネルギー装置を製造する推進剤である、工程と、
を備える、エネルギー装置の製造方法。
【請求項２８】
支持材料からなるマトリックスを製造するための前記積層造形システムを用いる工程は、前記支持材料からなる前記マトリックスを製造するための支持材料の印刷ストリームを押し出す印刷ヘッドを動かす動作コントローラを用いることを含む、請求項２７に記載のエネルギー装置の製造方法。
【請求項２９】
構築プラットフォームを有し、前記エネルギー装置を製造するための構築プラットフォームを動かすためのステージ動作コントローラを用いる積層造形システムを用いる工程をさらに備える、請求項２７に記載のエネルギー装置の製造方法。
【請求項３０】
エネルギーシステムの製造方法であって、
積層造形システムを用いてエネルギーシステムの支持構造を提供する工程であって、
前記積層造形システムが、支持材料の印刷ストリームを押し出す印刷ヘッドと、支持材料の印刷ストリームを押し出す前記印刷ヘッドを動かす動作コントローラとを有し、前記積層造形システムが、構築プラットフォームと、支持材料からなるマトリックスを製造するための構築プラットフォームを動かすためのステージ動作コントローラとを有し、前記マトリックスがマトリックス内に多数の第１の開口領域とマトリックス内に多数の第２の開口領域を有する、工程と、
第１の充填材料で前記多数の第１の開口領域を充填する工程であって、前記第１の充填材料が酸化剤である、工程と、
第２の充填材料で前記多数の第２の開口領域を充填する工程であって、前記第２の充填材料が前記エネルギーシステムを製造する推進剤である、工程と、
を備える、エネルギーシステムの製造方法。